(57)【要約】【課題】暑い日差しを受けた顔や腕等の所望箇所の肌等を、適時に容易に冷やすことができるようにする。【解決手段】収容体４に保冷用媒体を収容した保冷剤１と、この保冷剤１を収容すると共に該保冷剤１が出し入れ可能な開閉部６を備え、かつ内面に断熱部材を設けた小バッグ状のポーチ本体２とを備える。ポーチ本体２に開閉部６を介して出し入れ可能でかつ保冷剤１を包み込み可能な布製の汗拭き部材３を設ける。内面に断熱部材を設けた小バッグ状のポーチ本体２により、保冷剤１を断熱部材に囲まれた空間に収容して携帯できるので、比較的長時間携帯しても保冷剤１が温度上昇するようなことはなく、適時に肌に保冷剤１を直接に或いは間接的に当てて暑さを低減することができる。【選択図】図１
0003137062.tif 000002
【実用新案登録請求の範囲】
【請求項１】
収容体に保冷用媒体を収容した保冷剤と、この保冷剤を収容すると共に該保冷剤が出し入れ可能な開閉部を備え、かつ内面に断熱部材を設けた小バッグ状のポーチ本体とを備えたことを特徴とする携帯保冷用ポーチ。
【請求項２】
前記ポーチ本体に前記開閉部を介して出し入れ可能でかつ前記保冷剤を包み込み可能な布製の汗拭き部材を設けることを特徴とする請求項１記載の携帯保冷用ポーチ。
【請求項３】
前記収容体が樹脂シート又は布により形成されることを特徴とする請求項１記載の携帯保冷用ポーチ。
【請求項４】
前記断熱部材が断熱シート又は発泡樹脂であることを特徴とする請求項１〜３のいずれか１項に記載の携帯保冷用ポーチ。
【請求項５】
前記開閉部がファスナーにより形成され、前記汗拭き部材は袋状に形成されると共に該袋状汗拭き部材に前記保冷剤の出し入れ口を形成したことを特徴とする請求項２記載の携帯保冷用ポーチ。
【請求項６】
前記ポーチ本体は布、樹脂コーテング層を設けた布、皮或いは樹脂による可撓性の材質により形成され、前記汗拭き部材はハンカチ生地或いはタオル生地により形成されていることを特徴とする請求項５記載の携帯保冷用ポーチ。
【請求項７】
前記収容体の表面に織布又は不織布を一体的に設けることを特徴とする請求項１〜６のいずれか１項に記載の携帯保冷用ポーチ。
【考案の詳細な説明】
【技術分野】
【０００１】
本考案は、保冷剤と共に使用する携帯保冷用ポーチに関するものである。
【背景技術】
【０００２】
保冷剤は飲料や食品の保冷のために広く使用されており、この保冷剤は袋状の収容体に保冷用媒体を収容しておりクーラボックスなどに入れて使用されている（例えば、特許文献１）。このような保冷剤を夏の暑さ対策に使用するためのものとして保冷剤を入れるポケット付きマフラーが知られている（例えば、特許文献２）。
【特許文献１】特開平９−１２４０８０号公報
【特許文献２】実用新案登録第３１１５９６４号公報
【考案の開示】
【考案が解決しようとする課題】
【０００３】
しかし、従来技術においては、保冷剤はマフラーに入れて首に巻いて使用するものであったので、保冷剤を首以外の箇所には使用することができなかった。このため従来技術においては、例えば暑い日差しを受けた顔や腕等の肌を冷やし暑気払いや熱中症等の対策、或いはほてった顔を冷やし汗をぬぐって汗での化粧落ちを防ぐようなことには対応することができなかった。
【０００４】
解決しようとする問題点は、暑い日差しを受けた顔や腕等の所望箇所の肌等を、適時に容易に冷やすことができるようにする点である。
【課題を解決するための手段】
【０００５】
請求項１の考案は、収容体に保冷用媒体を収容した保冷剤と、この保冷剤を収容すると共に該保冷剤が出し入れ可能な開閉部を備え、かつ内面に断熱部材を設けた小バッグ状のポーチ本体とを備えたことを特徴とする携帯保冷用ポーチである。
【０００６】
請求項２の考案は、前記ポーチ本体に前記開閉部を介して出し入れ可能でかつ前記保冷剤を包み込み可能な布製の汗拭き部材を設けることを特徴とする請求項１記載の携帯保冷用ポーチである。
【０００７】
請求項３の考案は、前記収容体が樹脂シート又は布により形成されることを特徴とする請求項１記載の携帯保冷用ポーチである。
【０００８】
請求項４の考案は、前記断熱部材が断熱シート又は発泡樹脂であることを特徴とする請求項１〜３のいずれか１項に記載の携帯保冷用ポーチである。
【０００９】
請求項５の考案は、前記開閉部がファスナーにより形成され、前記汗拭き部材は袋状に形成されると共に該袋状汗拭き部材に前記保冷剤の出し入れ口を形成したことを特徴とする請求項２記載の携帯保冷用ポーチである。
【００１０】
請求項６の考案は、前記ポーチ本体は布、樹脂コーテング層を設けた布、皮或いは樹脂による可撓性の材質により形成され、前記汗拭き部材はハンカチ生地或いはタオル生地により形成されていることを特徴とする請求項５記載の携帯保冷用ポーチである。
【００１１】
請求項７の考案は、前記収容体の表面に織布又は不織布を一体的に設けることを特徴とする請求項１〜６のいずれか１項に記載の携帯保冷用ポーチである。
【考案の効果】
【００１２】
請求項１の考案によれば、保冷剤を断熱部材に囲まれた空間に収容して携帯できるので、比較的長時間携帯しても保冷剤が温度上昇するようなことはなく、所望箇所でまた適時に肌に保冷剤を当てて暑さを低減することができる。
【００１３】
請求項２の考案によれば、汗拭き部材を肌に当てることにより、保冷剤による肌の暑さの取り除きと同時に、汗拭き部材により肌の汗をぬぐいとることができる。
【００１４】
請求項３の考案によれば、保冷用媒体を確実に収容することができる。
【００１５】
請求項４の考案によれば、断熱シート又は発泡樹脂により、ポーチ本体の内部を高性能の断熱空間とすることができる。
【００１６】
請求項５の考案によれば、ファスナーにより簡単に開閉でき、さらに出し入れ口により袋状汗拭き部材への出し入れも容易に行うことができる。
【００１７】
請求項６の考案によれば、バッグなどにポーチ本体を入れてもかさばることもなく、また、ハンカチ生地或いはタオル生地からなる汗拭き部材により、汗のふき取りも確実に行うことができる。
【００１８】
請求項７の考案によれば、保冷剤を直接肌に触れて冷やすような場合であっても、織布又は不織布により、急激な冷やしを緩和することができる。
【考案を実施するための最良の形態】
【００１９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２０】
図１〜３は本考案の実施例１を示しており、携帯保冷用ポーチは、保冷剤１とこの保冷剤１を収容するポーチ本体２とを備えると共に、保冷剤１を包み込んだ汗拭き部材３がポーチ本体２に収容される。保冷剤１は樹脂シート又は布により形成される収容体４に保冷用媒体５を収容したものであり、扁平でほぼ手の平程度の大きさの矩形形状をなしている。
【００２１】
前記ポーチ本体２は、手提げバック或いはショルダーバッグに入れることができる程度の小バッグ状であって、保冷剤１を包み込んだ汗拭き部材３が出し入れ可能な開閉部６をファスナーによって形成している。尚、６Ａは開閉部６の操作部を示している。ポーチ本体２は布、ビニール等樹脂コーテング層を設けた布、皮或いは樹脂による柔らかく可撓性の材質により形成され、その内面に表面が銀色をなしたアルミニウム等金属蒸着シート（フィルム）、保冷シート等とも称する断熱部材としての断熱シート（断熱フィルムを含む）２Ａが一体に設けられ、さらにこのポーチ本体２における断熱シート２Ａの内側には、発泡スチロール等の発泡樹脂からなる断熱部材７が設けられている。尚、断熱シート２Ａか発泡樹脂からなる断熱部材７のいずれか一方のみであってもよく、また保冷作用効果のある他の断熱部材であってもよい。
【００２２】
前記汗拭き部材３は扁平な矩形をなした袋状に形成されると共に該袋状汗拭き部材３の正面中央に切れ目８を横向にほぼ全幅にわたり形成して保冷剤１の出し入れ口を形成している。この汗拭き部材３は布製であって、木綿、絹或いは化繊等のハンカチ生地や布面に輪奈を出した織物であるタオル生地により形成されている。そして、この汗拭き部材３の裏面には例えば熊や犬、猫など愛らしいデザインを有する飾り部９が設けられている。
【００２３】
次に前記構成についてその作用を説明する。外出する前に、保冷剤１を予め家庭用冷蔵庫の冷凍庫（図示せず）に収納して零下温度に冷却すると、保冷用媒体５が凍りつくようになる。尚、保冷剤１はケーキや冷凍食品の保冷に使用したものをリサイクルして使用してよい。
【００２４】
携帯するときには、保冷剤１を汗拭き部材３に切れ目８（出し入れ口）を介して挿入し、そして汗拭き部材３をポーチ本体２に開閉部６を介して挿入すると共に、操作部６Ａをスライドさせて開閉部６を閉じ、バッグ（図示せず）などに入れて携帯する。この携帯状態では保冷剤１は汗拭き部材３に包み込まれ、さらに汗拭き部材３とポーチ本体２との間に、ポーチ本体２の内面と一体な断熱シート２Ａ、さらには断熱部材７が介在しているので、ポーチ本体２の内部が保冷状態となり、保冷剤１は温度上昇が抑止された状態で、ポーチ本体２と共に携帯されることとなる。
【００２５】
使用するときには、ポーチ本体２の開閉部６を開いて汗拭き部材３を取り出し、そして汗拭き部材３を手で持って顔や腕の肌10に押し当てると、肌10の熱が保冷剤１によって冷やされることで、ほてった肌10を冷やすと共に、同時に肌10の汗をぬぐい取ることができる。尚、汗拭き部材３から出し入れ口を介して保冷剤１を抜き出し、そして手で持った保冷剤１を肌10に触れて直接肌10を冷やすようにしてもよい。
【００２６】
尚、肌10のほてりなどを取り去った後においては、保冷剤１を包み込んだ汗拭き部材３をポーチ本体２に入れて再び保冷状態にして携帯するものである。
【００２７】
以上のように、前記実施例では請求項１に対応して、収容体４に保冷用媒体５を収容した保冷剤１と、この保冷剤１を収容すると共に該保冷剤１が出し入れ可能な開閉部６を備え、かつ内面に断熱シート２Ａ、断熱部材７を設けた小バッグ状のポーチ本体２とを備えたことにより、保冷剤１を断熱部材７に囲まれた空間に収容してバッグに入れるなどして携帯できるので、比較的長時間携帯しても保冷剤１が温度上昇するようなことはなく、適時に肌10に保冷剤１を直接に或いは間接的に当てて暑さを低減することができる。そして、このように局部的な暑さしのぎを所望箇所で適時行うことで、クーラーの電気代節約やエコ化、強いては地球温暖化の歯止めに努めることができる。
【００２８】
また、前記実施例では請求項２に対応して、ポーチ本体２に開閉部６を介して出し入れ可能でかつ保冷剤１を包み込み可能な布製の汗拭き部材３を設けることで、汗拭き部材３を肌10に当てることにより、保冷剤１により肌10の暑さを取り除くことができると共に、汗拭き部材３により肌10の汗をぬぐいとることができ、暑さを一掃することができる。
【００２９】
さらに、前記実施例では請求項３に対応して、収容体４が樹脂シート又は布により形成されることにより、保冷用媒体５を確実に収容することができる。
【００３０】
また、前記実施例では請求項４に対応して、前記断熱部材は断熱シート２Ａや発泡樹脂等の断熱部材７であることにより、ポーチ本体２の内部を高性能の断熱空間７Ａとすることができると共に、これら断熱シート２Ａ又は発泡樹脂は可撓性であるので、バッグなどにポーチ本体２を入れても自由に変形できかさばることもない。
【００３１】
さらに、前記実施例では請求項５に対応して、開閉部６がファスナーにより形成されるので、簡単に開閉でき、さらに汗拭き部材３は袋状に形成されると共に該袋状汗拭き部材３に切れ目８を形成して保冷剤１の出し入れ口を形成したことにより、保冷剤１の袋状汗拭き部材３への出し入れも容易に行うことができる。
【００３２】
しかも、前記実施例では請求項６に対応して、前記ポーチ本体２は布、樹脂コーテング層を設けた布、皮或いは樹脂による可撓性の材質により形成されて可撓性であるので、バッグなどにポーチ本体２を入れても自由に変形できかさばることもない。また、汗拭き部材３はハンカチ生地或いはタオル生地により形成されているので、汗のふき取りも確実に行うことができる。
【実施例２】
【００３３】
図４は本考案の実施例１を示しており、前記実施例１と同一部分については同一符号を付し、その詳細な説明を省略する。
【００３４】
実施例２においては、保保冷剤１における冷用媒体５を収容した収容体４の表面を包み込むように、織布11又は不織布を一体的に設けたものである。
【００３５】
したがって、実施例２においても実施例１と同様な作用効果を奏するものであるが、例えば肌を急激に冷やしたいときには、ポーチ本体２より汗拭き部材３を保冷剤１と共に取り出し、さらに保冷剤１を汗拭き部材３より抜き出して、保冷剤１を肌に当てて冷やすものである。この際、保冷剤１の表面には織布11又は不織布が設けられていることにより、保冷剤１が肌に直接触れることはなく、保冷剤１が肌を急激に冷やすことを抑止することができる。
【産業上の利用可能性】
【００３６】
以上のように本考案にかかる携帯保冷用ポーチは、各種の用途に適用できる。
【図面の簡単な説明】
【００３７】
【図１】本考案の実施例１を示す分解斜視図である。
【図２】同断面図である。
【図３】同使用状態の正面図である。
【図４】本考案の実施例２を示す断面図である。
【符号の説明】
【００３８】
１  保冷剤
２  ポーチ本体
２Ａ  断熱シート（断熱部材）
３  汗拭き部材
４  収容体
５  保冷用媒体
６  開閉部
７  断熱部材
８  切れ目
11  織布
【図１】
0003137062.tif 000003
【図２】
0003137062.tif 000004
【図３】
0003137062.tif 000005
【図４】
0003137062.tif 000006